【手続補正書】
【提出日】平成27年9月10日(2015.9.10)
【手続補正１】
【補正対象書類名】特許請求の範囲
【補正対象項目名】全文
【補正方法】変更
【補正の内容】
【特許請求の範囲】
【請求項１】
外線および複数の内線を収容し、電話の発着信に係る制御を実行する電話制御装置において、
前記内線の各々に対応する内線番号に係る内線情報を記憶しておく内線情報記憶手段と、
前記外線を介して通信する通信相手の電話番号に係る相手情報を記憶しておく相手情報記憶手段と、を有し、
前記外線から前記内線のいずれかへの着信があった場合に、当該着信の発信元電話番号およびまたは着信先内線番号を抽出し、前記抽出した発信元電話番号が前記相手情報記憶手段に登録されている番号か否か、およびまたは前記抽出した着信先内線番号が前記内線情報記憶手段に登録されている番号か否かを判定し、登録されていると判定したならば、前記抽出した発信元電話番号に対応する相手情報を含む発信元情報、およびまたは前記抽出した着信先内線番号に対応する内線情報を含む着信先情報を、前記着信先内線番号以外の内線の全てまたは一部へ通知することを特徴とする電話制御装置。
【手続補正２】
【補正対象書類名】明細書
【補正対象項目名】０００８
【補正方法】変更
【補正の内容】
【０００８】
上述した課題は、外線および複数の内線を収容し、電話の発着信に係る制御を実行する電話制御装置において、内線の各々に対応する内線番号に係る内線情報を記憶しておく内線情報記憶手段と、外線を介して通信する通信相手の電話番号に係る相手情報を記憶しておく相手情報記憶手段と、を有し、外線から内線のいずれかへの着信があった場合に、当該着信の発信元電話番号およびまたは着信先内線番号を抽出し、抽出した発信元電話番号が通知相手情報記憶手段に登録されている番号か否か、およびまたは抽出した着信先内線番号が内線情報記憶手段に登録されている番号か否かを判定し、登録されている判定したならば、抽出した発信元電話番号に対応する相手情報を含む発信元情報、およびまたは抽出した着信先内線番号に対応する内線情報を含む着信先情報を、着信先内線番号以外の内線の全てまたは一部へ通知する電話制御装置により、達成できる。
【手続補正３】
【補正対象書類名】明細書
【補正対象項目名】００１８
【補正方法】変更
【補正の内容】
【００１８】
内線端末表示指示部１０５は、主制御部１０１から通知を検出した場合に、内線インターフェース部１０４へ該当する内線端末に対して個別着信先の表示を指示する。
通知相手情報記憶部１０６は、後述する通知相手情報記憶テーブル３０を保持する。通知相手情報記憶部１０６は、主制御部１０１から登録要求を受信した場合に、通知相手情報記憶テーブル３０へ登録を行う。
【手続補正４】
【補正対象書類名】明細書
【補正対象項目名】００２９
【補正方法】変更
【補正の内容】
【００２９】
図６を参照して、図５のステップ５０３である発信元登録有無判断処理の詳細を説明する。図６において、主制御部１０１は、外線毎通知先内線記憶テーブル５０の着信先内線番号のレコード５６の通知対象相手番号フィールド５２の１件目を参照する（Ｓ６０１）。主制御部１０１は、発信元番号と一致したか判定する（Ｓ６０２）。ＹＥＳのとき、主制御部１０１は、発信元登録結果は「外線毎通知先内線記憶部にあり」として（Ｓ６０３）、リターンする。
【手続補正５】
【補正対象書類名】明細書
【補正対象項目名】００３０
【補正方法】変更
【補正の内容】
【００３０】
ステップ６０２でＮＯのとき、主制御部１０１は、検索位置最後か判定する（Ｓ６０４）。ＹＥＳのとき、主制御部１０１は、通知相手情報記憶テーブル３０の登録相手番号フィールド３２の１件目を参照する（Ｓ６０５）。主制御部１０１は、発信元番号と一致か判定する（Ｓ６０６）。ＹＥＳのとき、主制御部１０１は、発信元登録結果は「通知相手情報記憶部にあり」として（Ｓ６０７）、リターンする。
【手続補正６】
【補正対象書類名】明細書
【補正対象項目名】００３１
【補正方法】変更
【補正の内容】
【００３１】
ステップ６０６でＮＯのとき、主制御部１０１は、検索位置最後か判定する（Ｓ６０８）。ＹＥＳのとき、主制御部１０１は、発信元登録結果は「なし」として（Ｓ６０９）、リターンする。ステップ６０８でＮＯのとき、主制御部１０１は、登録相手番号フィールド３２の次件数を参照して（Ｓ６１０）、ステップ６０６に遷移する。ステップ６０４でＮＯのとき、主制御部１０１は、通知対象相手番号フィールド５２の次件数を参照して（Ｓ６１１）、ステップ６０２に遷移する。
【手続補正７】
【補正対象書類名】明細書
【補正対象項目名】００３２
【補正方法】変更
【補正の内容】
【００３２】
図７を参照して、図５のステップ５０４の内線通知先登録有無判断処理の詳細を説明する。図７において、主制御部１０１は、発信元登録結果は「外線毎通知先内線記憶部にあり」か判定する（Ｓ７０１）。ＹＥＳのとき、主制御部１０１は、外線毎通知先内線記憶テーブル５０の着信先内線番号のレコード５６の該当する通知対象着信相手番号レコード５５の通知先内線番号フィールド５４の１件目を参照する（Ｓ７０２）。主制御部１０１は、通知先内線番号は登録ありか判定する（Ｓ７０３）。ＹＥＳのとき、主制御部１０１は、通知先内線を「あり」として（Ｓ７０４）、リターンする。ステップ７０３でＮＯのとき、主制御部１０１は、通知先内線を「なし」として（Ｓ７０５）、リターンする。ステップ７０１でＮＯのとき、主制御部１０１は、発信元登録結果は「通知相手情報記憶部にあり」か判定する（Ｓ７０６）。ＹＥＳのとき、主制御部１０１は、通知先内線記憶テーブル４０の該当する内線番号のレコード４３の通知先内線番号フィールド４２の１件目を参照して（Ｓ７０７）、ステップ７０３に遷移する。ステップ７０６でＮＯのとき、主制御部１０１は、ステップ７０５に遷移する。
【手続補正８】
【補正対象書類名】明細書
【補正対象項目名】００３３
【補正方法】変更
【補正の内容】
【００３３】
図８を参照して、図５のステップ５０６の内線端末通知処理を説明する。図８において、主制御部１０１は、発信元登録結果は「外線毎通知先内線記憶部にあり」か判定する（Ｓ８０１）。ＹＥＳのとき、主制御部１０１は、外線毎通知先内線記憶テーブル５０の着信先内線番号のレコード５６の該当する通知対象相手番号レコード５５の通知先内線番号フィールド５４の１件目を参照する（Ｓ８０２）。主制御部１０１は、通知先内線番号登録があるか判定する（Ｓ８０３）。主制御部１０１は、ＹＥＳのとき、登録してある内線番号の端末に通知する（Ｓ８０４）。主制御部１０１は、検索位置最後か判定する（Ｓ８０５）。ＹＥＳのとき、主制御部１０１は、リターンする。
【手続補正９】
【補正対象書類名】明細書
【補正対象項目名】００３４
【補正方法】変更
【補正の内容】
【００３４】
ステップ８０５でＮＯのとき、主制御部１０１は、通知先内線番号フィールドの次件数を参照して（Ｓ８０６）、ステップ８０３に遷移する。ステップ８０３でＮＯのとき、ステップ８０５に遷移する。ステップ８０１でＮＯのとき、主制御部１０１は、発信元登録結果は「通知相手情報記憶部にあり」か判定する（Ｓ８０７）。ＹＥＳのとき、主制御部１０１は、通知先内線記憶テーブル４０の該当する内線番号のレコード４３の通知先内線番号フィールド４２の１件目を参照して（Ｓ８０８）、ステップ８０３に遷移する。ステップ８０７でＮＯのとき、主制御部１０１は、リターンする。
【手続補正１０】
【補正対象書類名】図面
【補正対象項目名】図９
【補正方法】変更
【補正の内容】
【図９】
2014147043.tif 000001